【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
ワイヤレス通信装置であって、
第１のワイヤレス通信チャネル上でワイヤレス通信を受信するように構成された第１の受信チェーンと、第２のワイヤレス通信チャネル上でワイヤレス通信を受信するように構成された第２の受信チェーンとを備える受信機モジュールと、
前記第１の受信チェーンと第２の受信チェーンとに通信可能に結合された制御モジュールであって、
ワイヤレス通信が前記第１の受信チェーンにおいて受信されたときに前記第１および第２の受信チェーンを有効化することと、
前記ワイヤレス通信装置の前記第１および第２の受信チェーンにおけるワイヤレス通信がアイドルである経過アイドル時間を監視することと、
前記経過アイドル時間が所定のしきい値を超えたときに前記第２の受信チェーンを無効化することと、前記所定のしきい値は履歴使用データに少なくとも部分的に基づいて適応的であり、前記所定のしきい値は、前記履歴使用データがワイヤレス通信を受信する可能性を示すときには、時間期間中に増加され、前記所定のしきい値は、前記履歴使用データがワイヤレス通信を受信する可能性の減少を示すときには、時間期間中に減少される、変化することと、
を行うように構成された制御モジュールと
を備える、ワイヤレス通信装置。
【請求項２】
前記第１の受信チェーンがプライマリ受信チェーンであり、前記第２の受信チェーンがダイバーシティ受信チェーンである、請求項１に記載の装置。
【請求項３】
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が前記第１の受信チェーンにおいて受信されたときに前記第１、第２、および第３の受信チェーンを有効化することと、
前記ワイヤレス通信装置の前記第１、第２、および第３の受信チェーンに向けられたワイヤレス通信がアイドルである経過アイドル時間を監視することと、
前記経過アイドル時間が前記所定のしきい値を超えたときに前記第２および第３の受信チェーンを無効化することと
を行うように構成される
請求項１に記載の装置。
【請求項４】
ワイヤレス通信を送信するように構成された送信チェーンを備える送信機モジュールであって、前記制御モジュールに通信可能に結合された送信機モジュール
をさらに備え、
前記制御モジュールは、さらに、ワイヤレス通信が前記送信チェーンを使用して送信されるときに前記第１および第２の受信チェーンを有効化するように構成される
請求項１に記載の装置。
【請求項５】
前記送信チェーンおよび前記第１の受信チェーンが、第１のアンテナに通信可能に結合され、前記第１のアンテナを使用して複信でワイヤレス通信を送信および受信する、請求項４に記載の装置。
【請求項６】
前記第２の受信チェーンは、第２のアンテナに通信可能に結合され、前記第２のアンテナを使用してワイヤレス通信を受信する
請求項５に記載の装置。
【請求項７】
前記所定のしきい値は、前記送信チェーン上のアクティビティに基づいて設定される、請求項４に記載の装置。
【請求項８】
前記送信チェーン上にアクティビティがあるときに前記所定のしきい値が増加され、前記送信チェーン上にアクティビティがないときに前記所定のしきい値が減少される、請求項７に記載の装置。
【請求項９】
前記所定のしきい値は、（ｉ）前記履歴使用データが、前記ワイヤレス通信装置に向けられたワイヤレス通信を受信する可能性の増加も減少も示さないときには第１の値に設定され、（ｉｉ）前記履歴使用データが、前記ワイヤレス通信装置に向けられたワイヤレス通信を受信する可能性の増加を示すときには、前記第１の値よりも長い経過アイドル時間に対応する第２の値に設定され、（ｉｉｉ）前記履歴使用データが、前記ワイヤレス通信装置に向けられたワイヤレス通信を受信する可能性の減少を示すときには、前記第１よりも短い経過アイドル時間に対応する第３の値に設定される、請求項１に記載の装置。
【請求項１０】
前記制御モジュールは、さらに、ワイヤレス通信が前記ワイヤレス通信装置において受信されたときに前記第１の受信チェーン上でのデータ受信に関するデータレートを決定することと、前記データレートがあらかじめ定義されたデータレートを満たすときに前記第２の受信チェーンを無効化することとを行うように構成される、請求項１に記載の装置。
【請求項１１】
前記あらかじめ定義されたデータレートしきい値が、前記第１の受信チェーンについての最大達成可能データレートに対応する、請求項１０に記載の装置。
【請求項１２】
第３のワイヤレス通信チャネル上でワイヤレス通信を受信するように構成された第３の受信チェーンをさらに備え、前記制御モジュールは、さらに、前記データレートが１つまたは複数のあらかじめ定義されたデータレートしきい値を満たすときに前記第２および第３の受信チェーンのうちの１つまたは複数を無効化するように構成される、請求項１０に記載の装置。
【請求項１３】
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が受信されたときに前記第１および第２の受信チェーンを有効化することと、
前記第１の受信チェーンにおいて受信されたデータのタイプを決定することと、
受信されたデータの前記タイプに基づいて前記第３の受信チェーンを有効化することと
を行うように構成された、請求項１に記載の装置。
【請求項１４】
前記制御モジュールは、前記第１の受信チェーン上でのデータ受信に関する信号対干渉雑音比（ＳＩＮＲ）を決定することと、前記ＳＩＮＲがあらかじめ定義されたＳＩＮＲしきい値を満たすかまたはそれを超えたときに前記第２の受信チェーンを無効化することとを行うようにさらに構成された、請求項１に記載の装置。
【請求項１５】
ワイヤレス通信装置において電力消費量を低減するための方法であって、
第１の受信チェーンを使用して、第１のワイヤレス通信チャネル上でワイヤレス通信を受信することと、
第２の受信チェーンを使用して、第２のワイヤレス通信チャネル上でワイヤレス通信を受信することと、
前記ワイヤレス通信装置の前記第１および第２の受信チェーンにおけるワイヤレス通信がアイドルである経過アイドル時間を監視することと、
前記経過アイドル時間が所定のしきい値を超えたときに前記第２の受信チェーンを無効化することと、
前記ワイヤレス通信装置に向けられたワイヤレス通信が前記第１の受信チェーンにおいて受信されたときに前記第２の受信チェーンを有効化することと、
履歴使用データに少なくとも部分的に基づいて、前記所定のしきい値を調整することとであって、前記所定のしきい値は、前記履歴使用データがワイヤレス通信を受信する可能性を示すときには、時間期間中に増加され、前記所定のしきい値は、前記履歴使用データがワイヤレス通信を受信する可能性の減少を示すときには、時間期間中に減少される、調整することと、
を備える、方法。
【請求項１６】
第３の受信チェーンを使用して、第３のワイヤレス通信チャネル上でワイヤレス通信を受信することと、
前記経過アイドル時間が前記所定のしきい値を超えたときに前記第３の受信チェーンを無効化することと、
前記ワイヤレス通信装置に向けられたワイヤレス通信が前記第１の受信チェーンにおいて受信されたときに前記第３の受信チェーンを有効化することと
をさらに備える、請求項１５に記載の方法。
【請求項１７】
第３の受信チェーンを使用して、第３のワイヤレス通信チャネル上でワイヤレス通信を受信することと、
前記第１および第２の受信チェーンのうちの１つまたは複数の上でのデータ受信に関するデータレートを決定することと、
前記データレートが１つまたは複数のあらかじめ定義されたデータレートしきい値を満たすときに前記第２および第３の受信チェーンのうちの１つまたは複数を無効化することと
をさらに備える、請求項１５に記載の方法。
【請求項１８】
前記第１および第２の受信チェーン上から受信されているデータのタイプを決定することと、
受信されているデータの前記タイプに基づいて少なくとも第３の受信チェーンを有効化することと
をさらに備える、請求項１５に記載の方法。
【請求項１９】
送信チェーンを使用して、前記ワイヤレス通信装置からワイヤレス通信を送信することと、
ワイヤレス通信が前記送信チェーンを使用して送信されるときに前記第２の受信チェーンを有効化することと、
前記ワイヤレス通信装置の前記第１および第２の受信チェーンにおけるワイヤレス通信がアイドルである経過アイドル時間を監視することと、
前記経過アイドル時間が前記所定のしきい値を超えたときに前記第２の受信チェーンを無効化することと
をさらに備える、請求項１５に記載の方法。
【請求項２０】
前記送信チェーン上のアクティビティに基づいて前記所定のしきい値を調整すること
をさらに備える、請求項１９に記載の方法。
【請求項２１】
調整することは、
前記送信チェーン上にアクティビティがあるときに前記所定のしきい値を増加させることと、
前記送信チェーン上にアクティビティがないときに前記所定のしきい値を減少させることと
を含む、請求項２０に記載の方法。
【請求項２２】
調整することは、
前記履歴使用データがワイヤレス通信の可能性の増加も減少も示さないときに第１の所定のしきい値を設定することと、
前記履歴使用データがワイヤレス通信の可能性の増加を示すときに前記第１の所定のしきい値よりも長い経過アイドル時間に対応する第２の所定のしきい値を設定することと、
前記履歴使用データがワイヤレス通信の可能性の減少を示すときに前記第１の所定のしきい値よりも短い経過アイドル時間に対応する第３の所定のしきい値を設定することと
を含む、請求項１５に記載の方法。
【請求項２３】
前記第１の受信チェーン上でのデータ受信に関するデータレートを決定することと、
前記データレートがあらかじめ定義されたしきい値を満たすときに前記第２の受信チェーンを無効化することと
をさらに備える、請求項１５に記載の方法。
【請求項２４】
前記あらかじめ定義されたしきい値は、前記第１の受信チェーンについての最大達成可能データレートに対応する、請求項２３に記載の方法。
【請求項２５】
前記第１の受信チェーン上でのデータ受信に関する信号対干渉雑音比（ＳＩＮＲ）を決定することと、
前記ＳＩＮＲがあらかじめ定義されたしきい値を満たすかまたはそれを超えたときに前記第２の受信チェーンを無効化することと
をさらに備える、請求項１５に記載の方法。
【請求項２６】
ワイヤレス通信装置であって、
第１のワイヤレス通信チャネル上でワイヤレス通信を受信するための第１の受信手段と、
第２のワイヤレス通信チャネル上でワイヤレス通信を受信するための第２の受信手段と、
前記ワイヤレス通信装置の前記第１および第２の受信手段におけるワイヤレス通信がアイドルである経過アイドル時間を監視するための手段と、
前記経過アイドル時間が所定のしきい値を超えたときに前記第２の受信手段を無効化するための手段と、
前記ワイヤレス通信装置に向けられたワイヤレス通信が前記第１の受信手段において受信されたときに前記第２の受信手段を有効化するための手段と、
履歴使用データに少なくとも部分的に基づいて、前記所定のしきい値を調整するための手段であって、前記所定のしきい値は、前記履歴使用データがワイヤレス通信を受信する可能性を示すときには、時間期間中に増加され、前記所定のしきい値は、前記履歴使用データがワイヤレス通信を受信する可能性の減少を示すときには、時間期間中に減少される、調整するための手段と、
を備える、ワイヤレス通信装置。
【請求項２７】
第３のワイヤレス通信チャネル上でワイヤレス通信を受信するための第３の受信手段と、
前記経過アイドル時間が前記所定のしきい値を超えたときに前記第３の受信手段を無効化するための手段と、
前記ワイヤレス通信装置に向けられたワイヤレス通信が前記第１の受信手段において受信されたときに前記第３の受信手段を有効化するための手段と
をさらに備える、請求項２６に記載の装置。
【請求項２８】
第３のワイヤレス通信チャネル上でワイヤレス通信を受信するための第３の受信手段と、
前記第１および第２の受信手段のうちの１つまたは複数の上でのデータ受信に関するデータレートを決定するための手段と、
前記データレートが１つまたは複数のあらかじめ定義されたデータレートしきい値を満たすときに前記第２および第３の受信手段のうちの１つまたは複数を無効化するための手段と
をさらに備える、請求項２６に記載の装置。
【請求項２９】
第３のワイヤレス通信チャネル上でワイヤレス通信を受信するための第３の受信手段と、
前記第１および第２の受信手段上から受信されているデータのタイプを決定するための手段と、
受信されているデータの前記タイプに基づいて前記第３の受信手段を有効化するための手段と
をさらに備える、請求項２６に記載の装置。
【請求項３０】
前記ワイヤレス通信装置からワイヤレス通信を送信するための送信手段と、
ワイヤレス通信が前記送信手段を使用して送信されるときに前記第２の受信手段を有効化するための手段と、
前記ワイヤレス通信装置に向けられたワイヤレス通信がアイドルである経過アイドル時間を監視するための手段と、
前記経過アイドル時間が前記所定のしきい値を超えたときに前記第２の受信手段を無効化するための手段と
をさらに備える、請求項２６に記載の装置。
【請求項３１】
前記送信手段および第１の受信手段は、第１のアンテナに相互接続され、前記第１のアンテナを使用して複信でワイヤレス通信を送信および受信する、請求項３０に記載の装置。
【請求項３２】
前記送信手段上のアクティビティに基づいて前記所定のしきい値を調整するための手段
をさらに備える、請求項３０に記載の装置。
【請求項３３】
前記所定のしきい値を調整することは、
前記送信手段上にアクティビティがあるときに前記所定のしきい値を増加させることと、
前記送信手段上にアクティビティがないときに前記所定のしきい値を減少させることと
を含む、請求項３２に記載の装置。
【請求項３４】
前記所定のしきい値を調整することは、
前記履歴使用データがワイヤレス通信の可能性の増加も減少も示さないときに第１の所定のしきい値を設定することと、
前記履歴使用データがワイヤレス通信の可能性の増加を示すときに前記第１の所定のしきい値よりも長い経過アイドル時間に対応する第２の所定のしきい値を設定することと、
前記履歴使用データがワイヤレス通信の可能性の減少を示すときに前記第１の所定のしきい値よりも短い経過アイドル時間に対応する第３の所定のしきい値を設定することと
を含む、請求項２６に記載の装置。
【請求項３５】
前記第１の受信手段上でのデータ受信に関するデータレートを決定するための手段
をさらに備え、
前記第２の受信手段を無効化するための前記手段は、前記データレートがあらかじめ定義されたしきい値を満たすときに前記第２の受信手段を無効化する
請求項２６に記載の装置。
【請求項３６】
前記あらかじめ定義されたしきい値は、前記第１の受信手段のための最大達成可能データレートに対応する、請求項３５に記載の装置。
【請求項３７】
前記第１の受信手段上でのデータ受信に関する信号対干渉雑音比（ＳＩＮＲ）を決定するための手段
をさらに備え、
前記第２の受信手段を無効化するための前記手段は、前記ＳＩＮＲがあらかじめ定義されたしきい値を満たすかまたはそれを超えたときに前記第２の受信手段を無効化する
請求項２６に記載の装置。
【請求項３８】
第１の受信チェーンを使用して、第１のワイヤレス通信チャネル上でワイヤレス通信を受信するためのコードと、
第２の受信チェーンを使用して、第２のワイヤレス通信チャネル上でワイヤレス通信を受信するためのコードと、
前記ワイヤレス通信装置の前記第１および第２の受信チェーンにおけるワイヤレス通信がアイドルである経過アイドル時間を監視するためのコードと、
前記経過アイドル時間が所定のしきい値を超えたときに前記第２の受信チェーンを無効化するためのコードと、
前記ワイヤレス通信装置に向けられたワイヤレス通信が前記第１の受信チェーンにおいて受信されたときに前記第２の受信チェーンを有効化するためのコードと、
履歴使用データに少なくとも部分的に基づいて、前記所定のしきい値を調整するためのコードであって、前記所定のしきい値は、前記履歴使用データがワイヤレス通信を受信する可能性を示すときには、時間期間中に増加され、前記所定のしきい値は、前記履歴使用データがワイヤレス通信を受信する可能性の減少を示すときには、時間期間中に減少される、調整するためのコードと、
を備える、非一時的なコンピュータ可読媒体
を備えるコンピュータプログラム製品。
【請求項３９】
第３の受信チェーンを使用して、第３のワイヤレス通信チャネル上でワイヤレス通信を受信するためのコードと、
前記経過アイドル時間が前記所定のしきい値を超えたときに前記第３の受信チェーンを無効化するためのコードと、
前記ワイヤレス通信装置に向けられたワイヤレス通信が前記第１の受信チェーンにおいて受信されたときに前記第３の受信チェーンを有効化するためのコードと
をさらに備える、請求項３８に記載のコンピュータプログラム製品。
【請求項４０】
第３の受信チェーンを使用して、第３のワイヤレス通信チャネル上でワイヤレス通信を受信するためのコードと、
前記第１および第２の受信チェーンのうちの１つまたは複数の上でのデータ受信に関するデータレートを決定するためのコードと、
前記データレートが１つまたは複数のあらかじめ定義されたデータレートしきい値を満たすときに前記第２および第３の受信チェーンのうちの１つまたは複数を無効化するためのコードと
をさらに備える、請求項３８に記載のコンピュータプログラム製品。
【請求項４１】
前記第１および第２の受信チェーン上から受信されているデータのタイプを決定するためのコードと、
受信されているデータの前記タイプに基づいて少なくとも第３の受信チェーンを有効化するためのコードと
をさらに備える、請求項３８に記載のコンピュータプログラム製品。
【請求項４２】
送信チェーンを使用して、前記ワイヤレス通信装置からワイヤレス通信を送信するためのコードと、
ワイヤレス通信が前記送信チェーンを使用して送信されるときに前記第２の受信チェーンを有効化するためのコードと、
前記ワイヤレス通信装置に向けられたワイヤレス通信がアイドルである経過アイドル時間を監視するためのコードと、
前記経過アイドル時間が前記所定のしきい値を超えたときに前記第２の受信チェーンを無効化するためのコードと
をさらに備える、請求項３８に記載のコンピュータプログラム製品。
【請求項４３】
前記送信チェーン上のアクティビティに基づいて前記所定のしきい値を調整するためのコード
をさらに備える、請求項４２に記載のコンピュータプログラム製品。
【請求項４４】
調整するための前記コードは、
前記送信チェーン上にアクティビティがあるときに前記所定のしきい値を増加させるためのコードと、
前記送信チェーン上にアクティビティがないときに前記所定のしきい値を減少させるためのコードと
を含む、請求項４３に記載のコンピュータプログラム製品。
【請求項４５】
調整するための前記コードは、
前記履歴使用データがワイヤレス通信の可能性の増加も減少も示さないときに第１の所定のしきい値を設定するためのコードと、
前記履歴使用データがワイヤレス通信の可能性の増加を示すときに前記第１の所定のしきい値よりも長い経過アイドル時間に対応する第２の所定のしきい値を設定するためのコードと、
前記履歴使用データがワイヤレス通信の可能性の減少を示すときに前記第１の所定のしきい値よりも短い経過アイドル時間に対応する第３の所定のしきい値を設定するためのコードと
を含む、請求項３８に記載のコンピュータプログラム製品。
【請求項４６】
前記第１の受信チェーン上でのデータ受信に関するデータレートを決定するためのコードと、
前記データレートがあらかじめ定義されたしきい値を満たすときに前記第２の受信チェーンを無効化するためのコードと
をさらに備える、請求項３８に記載のコンピュータプログラム製品。
【請求項４７】
前記あらかじめ定義されたしきい値は、前記第１の受信チェーンについての最大達成可能データレートに対応する、請求項４６に記載のコンピュータプログラム製品。
【請求項４８】
前記第１の受信チェーン上でのデータ受信のための信号対干渉雑音比（ＳＩＮＲ）を決定するためのコードと、
前記ＳＩＮＲがあらかじめ定義されたしきい値を満たすかまたはそれを超えたときに前記第２の受信チェーンを無効化するためのコードと
をさらに備える、請求項３８に記載のコンピュータプログラム製品。
【手続補正２】
【補正対象書類名】明細書
【補正対象項目名】００６０
【補正方法】変更
【補正の内容】
【００６０】
本開示についての以上の説明は、当業者が本開示を作製または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるものではなく、本明細書で開示した原理および新規の特徴に合致する最も広い範囲を与えられるべきである。
なお、以下に、出願当初の特許請求の範囲に記載された発明を付記する。
［Ｃ１］
ワイヤレス通信装置であって、
第１のワイヤレス通信チャネル上でワイヤレス通信を受信するように構成された第１の受信チェーンと、第２のワイヤレス通信チャネル上でワイヤレス通信を受信するように構成された第２の受信チェーンとを備える受信機モジュールと、
前記第１の受信チェーンと第２の受信チェーンとに通信可能に結合された制御モジュールであって、
ワイヤレス通信が前記第１の受信チェーンにおいて受信されたときに前記第１および第２の受信チェーンを有効化することと、
前記ワイヤレス通信装置に向けられたワイヤレス通信がアイドルである経過アイドル時間を監視することと、
前記経過アイドル時間が所定のしきい値を超えたときに前記第２の受信チェーンを無効化することと
を行うように構成された制御モジュールと
を備える、ワイヤレス通信装置。
［Ｃ２］
前記第１の受信チェーンがプライマリ受信チェーンであり、前記第２の受信チェーンがダイバーシティ受信チェーンである、Ｃ１に記載の装置。
［Ｃ３］
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が前記第１の受信チェーンにおいて受信されたときに前記第１、第２、および第３の受信チェーンを有効化することと、
前記ワイヤレス通信装置に向けられたワイヤレス通信がアイドルである経過アイドル時間を監視することと、
前記経過アイドル時間が前記所定のしきい値を超えたときに前記第２および第３の受信チェーンを無効化することと
を行うように構成される
Ｃ１に記載の装置。
［Ｃ４］
ワイヤレス通信を送信するように構成された送信チェーンを備える送信機モジュールであって、前記制御モジュールに通信可能に結合された送信機モジュール
をさらに備え、
前記制御モジュールは、さらに、ワイヤレス通信が前記送信チェーンを使用して送信されるときに前記第１および第２の受信チェーンを有効化するように構成される
Ｃ１に記載の装置。
［Ｃ５］
前記送信チェーンおよび前記第１の受信チェーンが、第１のアンテナに通信可能に結合され、前記第１のアンテナを使用して複信でワイヤレス通信を送信および受信する、Ｃ４に記載の装置。
［Ｃ６］
前記第２の受信チェーンは、第２のアンテナに通信可能に結合され、前記第２のアンテナを使用してワイヤレス通信を受信する
Ｃ５に記載の装置。
［Ｃ７］
前記所定のしきい値は、前記送信チェーン上のアクティビティに基づいて設定される、Ｃ４に記載の装置。
［Ｃ８］
前記送信チェーン上にアクティビティがあるときに前記所定のしきい値が増加され、前記送信チェーン上にアクティビティがないときに前記所定のしきい値が減少される、Ｃ７に記載の装置。
［Ｃ９］
前記所定のしきい値は、前記ワイヤレス通信装置に関する履歴使用データに基づいて適応的である、Ｃ１に記載の装置。
［Ｃ１０］
前記所定のしきい値は、履歴使用データが前記ワイヤレス通信装置の使用の増加を示すときに時間期間中に増加される、Ｃ９に記載の装置。
［Ｃ１１］
前記所定のしきい値は、（ｉ）履歴使用データが、前記ワイヤレス通信装置に向けられたワイヤレス通信を受信する可能性の増加も減少も示さないときには第１の値に設定され、（ｉｉ）履歴使用データが、前記ワイヤレス通信装置に向けられたワイヤレス通信を受信する可能性の増加を示すときには、前記第１の値よりも長い経過アイドル時間に対応する第２の値に設定され、（ｉｉｉ）履歴使用データが、前記ワイヤレス通信装置に向けられたワイヤレス通信を受信する可能性の減少を示すときには、前記第１の時間期間よりも短い経過アイドル時間に対応する第３の値に設定される、Ｃ９に記載の装置。
［Ｃ１２］
前記制御モジュールは、さらに、ワイヤレス通信が前記ワイヤレス通信装置において受信されたときに前記第１の受信チェーン上でのデータ受信に関するデータレートを決定することと、前記データレートがあらかじめ定義されたデータレートしきい値を満たすときに前記第２の受信チェーンを無効化することとを行うように構成される、Ｃ１に記載の装置。
［Ｃ１３］
前記あらかじめ定義されたデータレートしきい値が、前記第１の受信チェーンについての最大達成可能データレートに対応する、Ｃ１２に記載の装置。
［Ｃ１４］
第３のワイヤレス通信チャネル上でワイヤレス通信を受信するように構成された第３の受信チェーンをさらに備え、前記制御モジュールは、さらに、前記データレートが１つまたは複数のあらかじめ定義されたデータレートしきい値を満たすときに前記第２および第３の受信チェーンのうちの１つまたは複数を無効化するように構成される、Ｃ１２に記載の装置。
［Ｃ１５］
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が受信されたときに前記第１および第２の受信チェーンを有効化することと、
前記第１の受信チェーンにおいて受信されたデータのタイプを決定することと、
受信されたデータの前記タイプに基づいて前記第３の受信チェーンを有効化することと
を行うように構成された、Ｃ１に記載の装置。
［Ｃ１６］
前記制御モジュールは、前記第１の受信チェーン上でのデータ受信に関する信号対干渉雑音比（ＳＩＮＲ）を決定することと、前記ＳＩＮＲがあらかじめ定義されたＳＩＮＲしきい値を満たすかまたはそれを超えたときに前記第２の受信チェーンを無効化することとを行うようにさらに構成された、Ｃ１に記載の装置。
［Ｃ１７］
ワイヤレス通信装置において電力消費量を低減するための方法であって、
第１の受信チェーンを使用して、第１のワイヤレス通信チャネル上でワイヤレス通信を受信することと、
第２の受信チェーンを使用して、第２のワイヤレス通信チャネル上でワイヤレス通信を受信することと、
前記ワイヤレス通信装置に向けられたワイヤレス通信がアイドルである経過アイドル時間を監視することと、
前記経過アイドル時間が所定のしきい値を超えたときに前記第２の受信チェーンを無効化することと、
前記ワイヤレス通信装置に向けられたワイヤレス通信が前記第１の受信チェーンにおいて受信されたときに前記第２の受信チェーンを有効化することと
を備える、方法。
［Ｃ１８］
第３の受信チェーンを使用して、第３のワイヤレス通信チャネル上でワイヤレス通信を受信することと、
前記経過アイドル時間が前記所定のしきい値を超えたときに前記第３の受信チェーンを無効化することと、
前記ワイヤレス通信装置に向けられたワイヤレス通信が前記第１の受信チェーンにおいて受信されたときに前記第３の受信チェーンを有効化することと
をさらに備える、Ｃ１７に記載の方法。
［Ｃ１９］
第３の受信チェーンを使用して、第３のワイヤレス通信チャネル上でワイヤレス通信を受信することと、
前記第１および第２の受信チェーンのうちの１つまたは複数の上でのデータ受信に関するデータレートを決定することと、
前記データレートが１つまたは複数のあらかじめ定義されたデータレートしきい値を満たすときに前記第２および第３の受信チェーンのうちの１つまたは複数を無効化することと
をさらに備える、Ｃ１７に記載の方法。
［Ｃ２０］
前記第１および第２の受信チェーン上から受信されているデータのタイプを決定することと、
受信されているデータの前記タイプに基づいて少なくとも第３の受信チェーンを有効化することと
をさらに備える、Ｃ１７に記載の方法。
［Ｃ２１］
送信チェーンを使用して、前記ワイヤレス通信装置からワイヤレス通信を送信することと、
ワイヤレス通信が前記送信チェーンを使用して送信されるときに前記第２の受信チェーンを有効化することと、
前記ワイヤレス通信装置に向けられたワイヤレス通信がアイドルである経過アイドル時間を監視することと、
前記経過アイドル時間が前記所定のしきい値を超えたときに前記第２の受信チェーンを無効化することと
をさらに備える、Ｃ１７に記載の方法。
［Ｃ２２］
前記送信チェーン上のアクティビティに基づいて前記所定のしきい値を調整すること
をさらに備える、Ｃ２１に記載の方法。
［Ｃ２３］
調整することは、
前記送信チェーン上にアクティビティがあるときに前記所定のしきい値を増加させることと、
前記送信チェーン上にアクティビティがないときに前記所定のしきい値を減少させることと
を含む、Ｃ２２に記載の方法。
［Ｃ２４］
前記ワイヤレス通信装置に関する履歴使用データに基づいて前記所定のしきい値を調整すること
をさらに備える、Ｃ１７に記載の方法。
［Ｃ２５］
調整することは、
履歴使用データが前記ワイヤレス通信装置の使用の増加を示すときに時間期間中に前記所定のしきい値を増加させること
を含む、Ｃ２４に記載の方法。
［Ｃ２６］
調整することは、
履歴使用データがワイヤレス通信の可能性の増加も減少も示さないときに第１の所定のしきい値を設定することと、
履歴使用データがワイヤレス通信の可能性の増加を示すときに前記第１の所定のしきい値よりも長い経過アイドル時間に対応する第２の所定のしきい値を設定することと、
履歴使用データがワイヤレス通信の可能性の減少を示すときに前記第１の所定のしきい値よりも短い経過アイドル時間に対応する第３の所定のしきい値を設定することと
を含む、Ｃ２４に記載の方法。
［Ｃ２７］
前記第１の受信チェーン上でのデータ受信に関するデータレートを決定することと、
前記データレートがあらかじめ定義されたしきい値を満たすときに前記第２の受信チェーンを無効化することと
をさらに備える、Ｃ１７に記載の方法。
［Ｃ２８］
前記あらかじめ定義されたしきい値は、前記第１の受信チェーンについての最大達成可能データレートに対応する、Ｃ２７に記載の方法。
［Ｃ２９］
前記第１の受信チェーン上でのデータ受信に関する信号対干渉雑音比（ＳＩＮＲ）を決定することと、
前記ＳＩＮＲがあらかじめ定義されたしきい値を満たすかまたはそれを超えたときに前記第２の受信チェーンを無効化することと
をさらに備える、Ｃ１７に記載の方法。
［Ｃ３０］
ワイヤレス通信装置であって、
第１のワイヤレス通信チャネル上でワイヤレス通信を受信するための第１の受信手段と、
第２のワイヤレス通信チャネル上でワイヤレス通信を受信するための第２の受信手段と、
前記ワイヤレス通信装置に向けられたワイヤレス通信がアイドルである経過アイドル時間を監視するための手段と、
前記経過アイドル時間が所定のしきい値を超えたときに前記第２の受信手段を無効化するための手段と、
前記ワイヤレス通信装置に向けられたワイヤレス通信が前記第１の受信手段において受信されたときに前記第２の受信手段を有効化するための手段と
を備える、ワイヤレス通信装置。
［Ｃ３１］
第３のワイヤレス通信チャネル上でワイヤレス通信を受信するための第３の受信手段と、
前記経過アイドル時間が前記所定のしきい値を超えたときに前記第３の受信手段を無効化するための手段と、
前記ワイヤレス通信装置に向けられたワイヤレス通信が前記第１の受信手段において受信されたときに前記第３の受信手段を有効化するための手段と
をさらに備える、Ｃ３０に記載の装置。
［Ｃ３２］
第３のワイヤレス通信チャネル上でワイヤレス通信を受信するための第３の受信手段と、
前記第１および第２の受信手段のうちの１つまたは複数の上でのデータ受信に関するデータレートを決定するための手段と、
前記データレートが１つまたは複数のあらかじめ定義されたデータレートしきい値を満たすときに前記第２および第３の受信手段のうちの１つまたは複数を無効化するための手段と
をさらに備える、Ｃ３０に記載の装置。
［Ｃ３３］
第３のワイヤレス通信チャネル上でワイヤレス通信を受信するための第３の受信手段と、
前記第１および第２の受信手段上から受信されているデータのタイプを決定するための手段と、
受信されているデータの前記タイプに基づいて前記第３の受信手段を有効化するための手段と
をさらに備える、Ｃ３０に記載の装置。
［Ｃ３４］
前記ワイヤレス通信装置からワイヤレス通信を送信するための送信手段と、
ワイヤレス通信が前記送信手段を使用して送信されるときに前記第２の受信手段を有効化するための手段と、
前記ワイヤレス通信装置に向けられたワイヤレス通信がアイドルである経過アイドル時間を監視するための手段と、
前記経過アイドル時間が前記所定のしきい値を超えたときに前記第２の受信手段を無効化するための手段と
をさらに備える、Ｃ３０に記載の装置。
［Ｃ３５］
前記送信手段および第１の受信手段は、第１のアンテナに相互接続され、前記第１のアンテナを使用して複信でワイヤレス通信を送信および受信する、Ｃ３４に記載の装置。
［Ｃ３６］
前記送信手段上のアクティビティに基づいて前記所定のしきい値を調整するための手段
をさらに備える、Ｃ３４に記載の装置。
［Ｃ３７］
前記所定のしきい値を調整することは、
前記送信手段上にアクティビティがあるときに前記所定のしきい値を増加させることと、
前記送信手段上にアクティビティがないときに前記所定のしきい値を減少させることと
を含む、Ｃ３６に記載の装置。
［Ｃ３８］
前記ワイヤレス通信装置に関する履歴使用データに基づいて前記所定のしきい値を調整するための手段
をさらに備える、Ｃ３０に記載の装置。
［Ｃ３９］
前記所定のしきい値を調整することは、
履歴使用データが前記ワイヤレス通信装置の使用の増加を示すときに時間期間中に前記所定のしきい値を増加させること
を含む、Ｃ３８に記載の装置。
［Ｃ４０］
前記所定のしきい値を調整することは、
履歴使用データがワイヤレス通信の可能性の増加も減少も示さないときに第１の所定のしきい値を設定することと、
履歴使用データがワイヤレス通信の可能性の増加を示すときに前記第１の所定のしきい値よりも長い経過アイドル時間に対応する第２の所定のしきい値を設定することと、
履歴使用データがワイヤレス通信の可能性の減少を示すときに前記第１の所定のしきい値よりも短い経過アイドル時間に対応する第３の所定のしきい値を設定することと
を含む、Ｃ３８に記載の装置。
［Ｃ４１］
前記第１の受信手段上でのデータ受信に関するデータレートを決定するための手段
をさらに備え、
前記第２の受信手段を無効化するための前記手段は、前記データレートがあらかじめ定義されたしきい値を満たすときに前記第２の受信手段を無効化する
Ｃ３０に記載の装置。
［Ｃ４２］
前記あらかじめ定義されたしきい値は、前記第１の受信手段のための最大達成可能データレートに対応する、Ｃ４１に記載の装置。
［Ｃ４３］
前記第１の受信手段上でのデータ受信に関する信号対干渉雑音比（ＳＩＮＲ）を決定するための手段
をさらに備え、
前記第２の受信手段を無効化するための前記手段は、前記ＳＩＮＲがあらかじめ定義されたしきい値を満たすかまたはそれを超えたときに前記第２の受信手段を無効化する
Ｃ３０に記載の装置。
［Ｃ４４］
第１の受信チェーンを使用して、第１のワイヤレス通信チャネル上でワイヤレス通信を受信するためのコードと、
第２の受信チェーンを使用して、第２のワイヤレス通信チャネル上でワイヤレス通信を受信するためのコードと、
前記ワイヤレス通信装置に向けられたワイヤレス通信がアイドルである経過アイドル時間を監視するためのコードと、
前記経過アイドル時間が所定のしきい値を超えたときに前記第２の受信チェーンを無効化するためのコードと、
前記ワイヤレス通信装置に向けられたワイヤレス通信が前記第１の受信チェーンにおいて受信されたときに前記第２の受信チェーンを有効化するためのコードと
を備えるコンピュータ可読媒体
を備えるコンピュータプログラム製品。
［Ｃ４５］
第３の受信チェーンを使用して、第３のワイヤレス通信チャネル上でワイヤレス通信を受信するためのコードと、
前記経過アイドル時間が前記所定のしきい値を超えたときに前記第３の受信チェーンを無効化するためのコードと、
前記ワイヤレス通信装置に向けられたワイヤレス通信が前記第１の受信チェーンにおいて受信されたときに前記第３の受信チェーンを有効化するためのコードと
をさらに備える、Ｃ４４に記載のコンピュータプログラム製品。
［Ｃ４６］
第３の受信チェーンを使用して、第３のワイヤレス通信チャネル上でワイヤレス通信を受信するためのコードと、
前記第１および第２の受信チェーンのうちの１つまたは複数の上でのデータ受信に関するデータレートを決定するためのコードと、
前記データレートが１つまたは複数のあらかじめ定義されたデータレートしきい値を満たすときに前記第２および第３の受信チェーンのうちの１つまたは複数を無効化するためのコードと
をさらに備える、Ｃ４４に記載のコンピュータプログラム製品。
［Ｃ４７］
前記第１および第２の受信チェーン上から受信されているデータのタイプを決定するためのコードと、
受信されているデータの前記タイプに基づいて少なくとも第３の受信チェーンを有効化するためのコードと
をさらに備える、Ｃ４４に記載のコンピュータプログラム製品。
［Ｃ４８］
送信チェーンを使用して、前記ワイヤレス通信装置からワイヤレス通信を送信するためのコードと、
ワイヤレス通信が前記送信チェーンを使用して送信されるときに前記第２の受信チェーンを有効化するためのコードと、
前記ワイヤレス通信装置に向けられたワイヤレス通信がアイドルである経過アイドル時間を監視するためのコードと、
前記経過アイドル時間が前記所定のしきい値を超えたときに前記第２の受信チェーンを無効化するためのコードと
をさらに備える、Ｃ４４に記載のコンピュータプログラム製品。
［Ｃ４９］
前記送信チェーン上のアクティビティに基づいて前記所定のしきい値を調整するためのコード
をさらに備える、Ｃ４８に記載のコンピュータプログラム製品。
［Ｃ５０］
調整するための前記コードは、
前記送信チェーン上にアクティビティがあるときに前記所定のしきい値を増加させるためのコードと、
前記送信チェーン上にアクティビティがないときに前記所定のしきい値を減少させるためのコードと
を含む、Ｃ４９に記載のコンピュータプログラム製品。
［Ｃ５１］
前記ワイヤレス通信装置に関する履歴使用データに基づいて前記所定のしきい値を調整するためのコード
をさらに備える、Ｃ４４に記載のコンピュータプログラム製品。
［Ｃ５２］
調整するための前記コードは、
履歴使用データが前記ワイヤレス通信装置の使用の増加を示すときに時間期間中に前記所定のしきい値を増加させるためのコード
を含む、Ｃ５１に記載のコンピュータプログラム製品。
［Ｃ５３］
調整するための前記コードは、
履歴使用データがワイヤレス通信の可能性の増加も減少も示さないときに第１の所定のしきい値を設定するためのコードと、
履歴使用データがワイヤレス通信の可能性の増加を示すときに前記第１の所定のしきい値よりも長い経過アイドル時間に対応する第２の所定のしきい値を設定するためのコードと、
履歴使用データがワイヤレス通信の可能性の減少を示すときに前記第１の所定のしきい値よりも短い経過アイドル時間に対応する第３の所定のしきい値を設定するためのコードと
を含む、Ｃ５１に記載のコンピュータプログラム製品。
［Ｃ５４］
前記第１の受信チェーン上でのデータ受信に関するデータレートを決定するためのコードと、
前記データレートがあらかじめ定義されたしきい値を満たすときに前記第２の受信チェーンを無効化するためのコードと
をさらに備える、Ｃ４４に記載のコンピュータプログラム製品。
［Ｃ５５］
前記あらかじめ定義されたしきい値は、前記第１の受信チェーンについての最大達成可能データレートに対応する、Ｃ５４に記載のコンピュータプログラム製品。
［Ｃ５６］
前記第１の受信チェーン上でのデータ受信のための信号対干渉雑音比（ＳＩＮＲ）を決定するためのコードと、
前記ＳＩＮＲがあらかじめ定義されたしきい値を満たすかまたはそれを超えたときに前記第２の受信チェーンを無効化するためのコードと
をさらに備える、Ｃ４４に記載のコンピュータプログラム製品。